(57)【要約】【課題】電動弁と一体的に連結されたモータ組立体の交換等の場合に、電動弁の弁体上端部におけるブッシュ部が、弁本体上端開口部から上方へ飛び出すことがないようにした組立性にすぐれた電動弁を提供する。【解決手段】弁体及びベローズからなる弁組立を弁本体内に配設してなる電動弁において、弁体の弁頭部が弁本体の弁室から脱出するのを阻止する凸部を弁室開口部近傍に設けることにより、弁体上端部のブッシュ部が弁本体上端開口部から飛び出すことのないように構成した。【選択図】        図１
2004270853.tif 000002
【特許請求の範囲】
【請求項１】
弁体の弁頭部が弁本体の弁室内に摺動可能に嵌合配設され、弁体のステム部と弁本体の開口部とに下端部及び上端部がそれぞれハンダ付で固定されたベローズが弁本体のベローズ室内に伸縮可能に配設され、上記弁体がモータ組立体の最終出力軸に当接されて、該出力軸の進退動に伴い弁座に対する弁頭部の開閉動作を行うようにした電動弁において、
前記弁室の開口部近傍の内周面に凸部を設けると共に、前記弁頭部の外周面に前記凸部が嵌入し得るカット部を設け、前記凸部を前記カット部に嵌入させた状態で前記弁頭部を前記弁室内に嵌合挿入し、上記ステム及びベローズからなる弁体を回動させ、前記凸部の下方に前記弁頭部の円弧部を回り込ませたのち、前記弁体が前記弁本体開口部より上方へ飛び出ることのないようにしたことを特徴とする電動弁。
【請求項２】
前記凸部及び前記カット部は、それぞれ、対称的に２個一組で設けられていることを特徴とする請求項１に記載の電動弁。
【請求項３】
前記凸部は、平断面形状が弦月状であり、これに対応する前記カット部は、平断面形状が同じく弦月状であることを特徴とする請求項１または２に記載の電動弁。
【発明の詳細な説明】
【０００１】
【発明の属する技術分野】
本発明は、進退動する最終出力軸を備えたモータ組立体と一体的に連結されて冷媒等の流量制御用に供される電動弁に関する。
【０００２】
【従来の技術】
上記したモータ組立体の代表的従来例として、特許文献１に開示のステッピングモータ組立体を、また、上記した電動弁の代表的従来例として、特許文献２に開示の電動弁を、それぞれあげることができる。
【０００３】
従来例による上記モータ組立体と、同じく従来例による上記弁本体との一体的連結は、図６に示されたように、モータ組立体２側の袋ナット部材８を弁本体１００に螺合締結することによって行なわれる。
【０００４】
上記モータ組立体は、ケース２内にステッピングモータとこれに組付けられるギアボックス内部の減速歯車列及び最終歯車とを有している。上記モータの出力はギアボックスの歯車を介してケース２に固定された雌螺子部材７により最終出力軸６を進退動させるようになっている。
【０００５】
モータ組立体に一体的に連結される弁本体１００は、第１通路４００及び第２通路５００が接続される弁座１０１に対して開閉進退動するように配設されたステム部２０２とこれに嵌合する弁頭部２０１からなる弁体２００と、弁本体１００のベローズ室１０３内に伸縮可能に配設されたベローズ３００と、を備えている。
【０００６】
弁体２００の弁頭部２０１は、弁本体１００の弁室１０２に摺動可能に設けられ、また、金属製の弾性伸縮性ベローズ３００は、その下端部３０１が弁体２００のステム部２０２にハンダ付け固定されると共に、その上端部３０２が弁本体１００の上端開口部１０４にカシメ固定のワッシャ１０８にハンダ付け固定されている。なお、６３は、最終出力軸６とブッシュ部２０３との間に設けられた球体である。
【０００７】
ベローズ３００のハンダ付け固定により、弁本体１００内の弁室１０２及びベローズ室１０３は、外部に対する完全密封状態が維持されることとなり、モータ組立体を弁体から取外すことがあっても、第１通路４００及び第２通路５００内の冷媒等の外部への漏出は完全に防止される。
【０００８】
【特許文献１】
特開２００２−８４７３２号公報
【特許文献２】
特開平１１−８２７９６号公報
【０００９】
【発明が解決しようとする課題】
上記のような、一体連結された稼動中の電動弁においては、モータ組立体側の交換を必要とされる場合があり、そのときには、稼動中のユニットの運転を停止し、締結されている袋ナット部材８をゆるめることにより、電動弁からモータ組立体を取外すことが行なわれる。
【００１０】
モータ組立体が取外されると、モータ組立体側の最終出力軸６による弁体１００への拘束がなくなるため、弁頭部２０１及びベローズ３００の下面は、弁室１０２及びベローズ室１０３内部の内圧を受けることとなり、金属製のベローズ３００自体の弾性収縮力と相俟って、弁体２００の弁頭部２０１は、弁室１０２から大きく脱出し、また、弁体２００のステム部２０２も、図７に示されるように弁本体１００の上端開口部１０４から、上方外部へと飛び出した状態となるのを免れないものであった。
【００１１】
図７に示す弁体２００の飛び出し状態は、交換すべきモータ組立体を弁本体１００と一体連結すべくモータ組立体側の袋ナット部材８を弁本体１００に対して螺合締結しようとする際、その締結の始まる前に最終出力軸６の下端が弁体１００最上部のブッシュ部２０３に直接当ることとなり、弁本体１００とモータ組立体とを一体的に連結する組立性を損なうという問題を生ずるものであった。
【００１２】
本発明は、上記したような問題点に鑑みてなされたものであり、その目的は、モータ組立体を取外した際に、弁体２００が弁本体１００の上端開口部１０４部位から飛び出すことのないようにした電動弁を提供することにある。
【００１３】
【課題を解決するための手段】
上記目的を達成するため独立項としての請求項１に係る発明による電動弁は、弁体の弁頭部が弁本体の弁室内に摺動可能に嵌合配設され、弁体のステム部と弁本体の開口部とに下端部及び上端部がそれぞれハンダ付で固定されたベローズが弁本体のベローズ室内に伸縮可能に配設され、上記弁体がモータ組立体の最終出力軸に当接されて、該出力軸の進退動に伴い弁座に対する弁頭部の開閉動作を行うようにした電動弁において、前記弁室の開口部近傍の内周面に凸部を設けると共に、前記弁頭部の外周面に前記凸部が嵌入し得るカット部を設け、前記凸部を前記カット部に嵌入させた状態で前記弁頭部を前記弁室内に嵌合挿入し、上記ステム及びベローズからなる弁体を回動させ、前記凸部の下方に前記弁頭部の円弧部を回り込ませたのち、前記弁体が前記弁本体開口部より上方へ飛び出ることのないようにしたことを特徴とするものである。
【００１４】
【発明の実施の形態】
以下、本発明の実施の形態につき図１ないし図３を参照して詳細を説明する。図１は、本発明の一実施の形態を示す断面図であり、図６に示す従来例とは、基本的構成及び動作は同じであるので、重複を避けるためその説明は省略するが、図６とは異なって、弁室１０２の内周面開口部近傍に凸部１０６を設け、該凸部１０６の下側に弁頭部２０１の円弧部を回り込ませることにより、該弁頭部２０１の弁室１０２からの脱出が防止され、弁体２００のステム部２０２が弁本体１００の上端開口部１０４から上方へ飛び出すことのないようにした点を特徴としている。
【００１５】
上記特徴とする構成において、弁本体１００は、その弁室１０２の開口部１０５の近傍において、図２に示すように平断面形状が弦月状の二つの凸部１０６が設けられ、該開口部１０５は、平行な二つの弦と、対向する二つの円弧とにより囲まれた形状を呈している。
【００１６】
又、弁室１０２内に摺動可能に嵌合される弁体２００の弁頭部２０１は、その外周面に前記した二つの凸部１０６に対応して、平断面形状が弦月状の二つのカット部２０４が形成されており、弁頭部２０１の断面領域Ａ，Ｂ，Ｃ，Ｄを図２（ａ）に示されるような位相で、弁室１０２の開口１０５に臨ませるとき、弁頭部２０１を弁室１０２内に嵌入させることができる。
【００１７】
図２（ａ）において、弁頭部２０１を弁室１０２内へ嵌入させたのち、同図矢印イの方向に９０度回転させると、図２（ｂ）に示される状態となり、この状態では、弁頭部２０１の断面領域Ａ，Ｂ，Ｃ，Ｄの円弧部分は、それぞれ凸部１０６の下側に回り込むこととなる。
【００１８】
図２（ｂ）に示された状態で、ベローズ３００の上端部３０１を弁本体１００の上端開口部１０４部位にカシメ固定されたワッシャ１０８に対してハンダ付け固定されると、弁頭部２０１の円弧部が凸部１０６の下側に回り込んでいるため、弁体２００及びベローズ３００からなる弁組立体が、弁室１０２及びベローズ室１０３内の内圧力とベローズ３００自体の弾性収縮力を受けることになっても、弁頭部２０１の円弧部が弁室１０１の凸部１０６に係止されることになるので、図３に示されるように弁体２００のステム部２０２は、弁本体１００の上端開口部１０４のレベルより上方へ飛び出るようなことはない。
【００１９】
図４は、本発明に係る電動弁の要部の他の実施の形態を示し、モータ組立体を取外した場合の電動弁の縦断面図であり、基本的に図６に示す従来の電動弁と同一構成であり、ステム部２０２が弁本体１００の上端開口部１０４から上方に飛び出すことのないようにした構成が異なるのみであるので、図６と同一又は均等部分には同一符号を付して説明を省略する。図４において、１０７はワッシャ１０８と弁本体１００の弁室開口部１０５近傍に設けられた段部１０９との間に設けられた有底の円筒部材であり、図５に示す如く底部１０７ａには貫通孔１０７ｂが設けられ、貫通孔１０７ｂの周囲部１０７ｃが段部１０９に当接され、円筒部１０７の開口部の周縁部１０７ｄがワッシャ１０８に当接して、ベローズ３００を円筒部材１０７の内部に存在収容するように配置され、貫通孔１０７ｂにはステム２００が挿入される。
【００２０】
かかる円筒部材１０７によれば、ステム部２０２が上述の如く上方外部に飛び出す状態が生じてもステム２００の弁頭部２０１がその周囲部１０７ｃに係止されることにより、ステム部２０２が、上方に飛び出すことを防止できる。
【００２１】
【発明の効果】
本発明による電動弁は、その弁室の開口部近傍内周面に凸部を設けると共に、弁頭部の外周面に前記凸部が嵌入し得るカット部を設け、前記凸部を前記カット部に嵌入させた状態で前記弁頭部を前記弁室内に嵌合挿入し、弁体及びベローズからなる弁組立体を回動させ、前記凸部の下方に前記弁頭部の円弧部を回り込ませたのち、前記弁体上端のブッシュ部が前記弁本体開口部より上方へ飛び出ることのないように構成されているので、電動弁に一体的に連結されるモータ組立体の交換に際してすぐれた組立性を確保できる効果がある。
【図面の簡単な説明】
【図１】モータ組立体と一体的に連結された本発明の一実施形態の要部を示す断面図。
【図２】本発明の一実施形態による弁本体の弁室と弁体の弁当部との相互の関係を示す説明図で、同図（ａ）は、弁頭部を弁室内に嵌入可能な位相を、同図（ｂ）は、弁頭部を９０度回転させて弁頭部を弁室から脱出させない態様をそれぞれ示している。
【図３】図１におけるモータ組立体を取外した場合の本発明による電動弁の断面図。
【図４】図１におけるモータ組立体を取外した場合の本発明による他の電動弁の断面図。
【図５】図４における円筒部材を示す図。
【図６】モータ組立体と一体的に連結された従来例による電動弁の要部を示す断面図。
【図７】図６におけるモータ組立体を取外した場合の従来例による電動弁の断面図。
【符号の説明】
２  外ケース
６  最終出力軸
７  雌螺子部材
８  袋ナット部材
１００  弁本体
１０１  弁座
１０２  弁室
１０３  ベローズ室
１０４  弁本体上端開口部
１０５  弁室開口部
１０６  弦月状凸部
１０８  ワッシャ
２００  弁体
２０１  弁頭部
２０２  ステム部
２０３  ブッシュ部
２０４  弦月状カット部
３００  ベローズ
３０１  ベローズの下端部
３０２  ベローズの上端部
４００  第１の通路
５００  第２の通路
【図１】
2004270853.tif 000003
【図２】
2004270853.tif 000004
【図３】
2004270853.tif 000005
【図４】
2004270853.tif 000006
【図５】
2004270853.tif 000007
【図６】
2004270853.tif 000008
【図７】
2004270853.tif 000009